【手続補正書】
【提出日】平成18年1月20日(2006.1.20)
【手続補正１】
【補正対象書類名】明細書
【補正対象項目名】特許請求の範囲
【補正方法】変更
【補正の内容】
【特許請求の範囲】
【請求項１】  編み針(3)を案内する２個の平行な直線区画(1、2、43、44)と、これらの編み針(3)を選択する手段と、選択された編み針(3)を移動するキャリッジ(4、40)と、ニット編糸(52)を案内する部材(10、10')とを備えており、編み針の下降によってひと編みが形成される直線編機でシームレス筒状ニットを形成する方法において、
上記区画(1、2、43、44)は、上記編み針の通常の編成行程の間において一方の区画(1；43)の編み針(3)が他方の区画(2；44)の編み針と交差しない様に配置され、
上記キャリッジ(4、40)は各区画(1、2、43、44)に沿っては単一方向に移動され、夫々の区画に沿った上記キャリッジ(4、40)の移動の方向は相互に対向しており、
筒状ニットの一部分を形成するために、編糸は、一方の区画の選択された一群の針に対して移動する各キャリッジと協働しており、
選択された編み針(3)の群の最後の編み針に該編糸(52)が到達する毎に、編糸(52)は、協働する前記キャリッジから分離されて、一方の区画(1；43)の編み針（３）から他方の区画(2；44)の編み針まで移送部材(14)の助勢によって移送され、
前記筒状ニットの他の部分を形成するために、前記編糸(52)は、選択された編み針の群の最初の編み針に位置する他のキャリッジに前記方の区画から結合され、
前記移送部材(14)の位置は前記筒状ニットの直径が増減するたび毎に変化するようになっており、
前記キャリッジ（４）が駆動する速度は、前記ニットの幅の増減に対して変更されるようにした、
ことを特徴とするシームレス筒状ニットの形成方法。
【請求項２】  最初に、各区画(1、2、43、44)で相互に向かい合う２群の編み針(3)が選択され、
各区画の２群の編み針(3)は非選択編み針により相互から分離され、
上記各群の選択編み針の一方の群の一端に編糸(52)が到達する毎に該編糸(52)を一方の区画(1；43)から他方の区画(2；44)へと移送することで２個の筒状要素が並置して編成され、
次に、並置された上記各筒状要素に対する所望長さに到達したなら、上記２群の編み針を分離する各編み針(3)は、並置された上記各筒状要素を接合して単一筒状要素のみを形成すべく選択されることを特徴とする、請求項１記載の方法。
【請求項３】  請求項２記載の方法を実施する直線編機であって、
該直線編機は、
一方の区画(1；43)の編み針(3)が他方の区画(2；44)の編み針と交差しない編み針経路を画成すべく各編み針(3)を案内する２個の区画(1、2、43、44)と、
各区画上の少なくとも一群の連続的な編み針(3)を選択し、キャリッジ(4、40)に保持された駆動カムに対してそれらを係合させる手段と、
これらのキャリッジを、各区画(1、2、43、44)から選択された上記群の編み針(3)に関してこの編み針群の最初の編み針から最後の編み針まで単一方向に移動させるべく、且つ、これらのキャリッジを、選択された編み針群の最後の編み針から、選択されたのと同一のもしくは他の編み針群の最初の編み針へと通過させるべく、これらのキャリッジを案内(6、42)かつ駆動(5、41)する手段と、を含む直線編機において、
該直線編機は、
編糸ガイド(10)を具備し、該編糸ガイド(10)は、案内レール（８）とプッシャ（１２、１３）とに係合される摺動支持部（９）に懸架されており、該摺動支持部（９）を前記案内レール（８）に沿って押すために前記プッシャ（１２、１３）は各キャリッジと協働しており、さらに、前記プッシャ（１２、１３）は、前記編糸ガイドを前記協動するキャリッジから分離するカム（２１ｃ、２１ｆ、２１ｅ、２１ｄ、１３ａ）と協働するようになっており、
さらに、
選択編み針の各群の最後の編み針にて一方の区画(1；43)の編み針(3)から他方の区画(2；44)の編み針へとニット編糸(52)を通過させる移送部材(14)と、
ニット編みされた一つまたは複数の筒状要素の直径に応じて前記移送部材（１４）の間の距離を調節する調節部材（２０）と、
前記ニット編みされた一つまたは複数の筒状要素の直径に応じて前記駆動手段（５、４１）に対する前記キャリッジ（４、４０）の移動速度を変更するサーボモータ（３５）と、
を備えることを特徴とする直線編機。
【請求項４】  前記キャリッジ(4)を案内する前記手段(6)は前記区画(1、2)に実質的に直交する平面内に延在する閉鎖ループを形成する、請求項３記載の編機。
【請求項５】  前記キャリッジ(40)を案内する前記手段(42)は２つの平行な垂直平面内において夫々閉鎖ループを形成することを特徴とする、請求項３記載の編機。
【請求項６】  選択編み針の各群の最後の編み針にて一方の区画(1；43)の編み針(3)から他方の区画(2；44)の編み針へとニット編糸(52)を通過させる前記手段は、
前記区画(1、2、43、44)に平行な案内レール(8)の一部分に係合された摺動子(9)に着脱自在に接続された編糸ガイド(10)と、
上記摺動子(9)から編糸ガイド(10)を分離する部材(12、14)であって前記他方の区画に平行な上記案内レール(8)の一部分上に配置された摺動子(9)に編糸ガイド(10)を係合させる部材(12、14)と、
を備えることを特徴とする、請求項３乃至５のいずれか１項に記載の編機。
【請求項７】  選択編み針の各群の最後の編み針にて一方の区画(43)の編み針(3)から他方の区画(44)の編み針へとニット編糸(52)を通過させる前記手段は、
ニット編糸(52)を把持する要素(50)と、
これらの把持要素(50)を案内し、各々が前記区画(43、44)の一方と並んで延在する２個の平行なセグメントを形成する手段(41)と、
上記区画(43、44)の一方と並んで延在する上記セグメントと係合された上記把持要素(50)から上記ニット編糸(52)を自由にする手段(57)と、
自由とされたニット編糸(52)を、上記区画(43、44)の他方と並んで延在する上記平行セグメントに関与する把持要素(50)へと移送する手段(55)と、
上記ニット編糸(52)が移送された上記把持要素(50)に対して該ニット編糸(52)を係合する手段(49、49a、56)と、
を備えることを特徴とする、請求項３乃至５のいずれか１項に記載の編機。
【請求項８】  該編機は、前記区画(1、2、43、44)に関して編み針(3)の移動の逆方向において該区画(1、2、43、44)の各々上にニットを保持する手段(39)を備えることを特徴とする、請求項３乃至７のいずれか１項に記載の編機。
【請求項９】  前記編糸ガイド(10)は、該編糸ガイド(10)の直径よりも実質的に大きい直径の少なくとも一個のリング(10c)であって該リング(10c)の直径より大きな直径を有する２個の環状停止部(10d)間に載置された少なくとも一個のリング(10c)を備えることを特徴とする、請求項３乃至６および８のいずれか１項に記載の編機。
【請求項１０】  該編機は、
閉鎖ループ経路に沿った案内手段(25、64)に取付けられたリール(23、62)に対する支持体(24、61)と、
これらの支持体を前記編糸ガイド(10、46)の移動と同期して上記経路に沿って駆動することが企図された駆動手段(M、76、68〜70)と、
を備えることを特徴とする、請求項３乃至９のいずれか１項に記載の編機。
【請求項１１】  前記キャリッジ(4、40)の各々は、当該可撓駆動要素(5、41)に平行な方向に該キャリッジ(4、40)を移動し得る手段(34、35、36)を介して可撓駆動要素(5、41)に接続されることを特徴とする、請求項３乃至１０のいずれか１項に記載の編機。
【請求項１２】  前記編糸ガイド(10')は、その筒状管が編糸(52)を案内する役割を果たすべく両端部が開口した筒状要素であることを特徴とする、請求項３乃至１１のいずれか１項に記載の編機。
【請求項１３】  請求項１記載の方法を実施することで得られたパンツ、ボクサーパンツまたはタイツ。